(57)【要約】【課題】魚釣用リールに用いられるスプール制動装置の軽量化と小型化を図る。【解決手段】スプール制動装置２０は、リール本体に回転可能に支持されるスプール１２の回転を制動する。導電体であるスプール１２は、スプール１２に連動して回転する導電体と見なせる。保持部材８１は、スプール１２の回転面に向き合う面に並べられた複数の磁石５１を保持し、磁石ユニットを構成する。支持板８２と揺動軸８３は、磁石ユニットをスプール１２の回転面から離隔した離隔位置とスプール１２の回転面に近接した近接位置との間で移動可能に支持する。バネとバネ押さえ８４とで、磁石ユニットを、近接位置から離隔位置に付勢する。【選択図】図３
2019150062.tif 000002
【特許請求の範囲】
【請求項１】
リール本体に回転可能に支持されるスプールに連動して回転する導電体と、
前記導電体の回転面に向き合う面に並べられた少なくとも２つの磁石を有する磁石ユニットと、
前記磁石ユニットを、前記導電体の回転面から離隔した離隔位置と前記導電体の回転面に近接した近接位置との間で移動可能に支持する支持部と、
前記磁石ユニットを、前記近接位置から前記離隔位置に付勢する付勢部と、
を備えるスプール制動装置。
【請求項２】
前記磁石ユニットは、前記導電体の回転面に向き合う面に、前記導電体の回転周方向に交互に配列されるＮ極とＳ極を有する、請求項１に記載のスプール制動装置。
【請求項３】
前記支持部は、前記磁石ユニットの一端を揺動可能に支持する揺動支持軸を有する、請求項１または２に記載のスプール制動装置。
【請求項４】
前記付勢部は、前記磁石ユニットの他端を揺動方向に付勢する揺動付勢部を有する、請求項３に記載のスプール制動装置。
【請求項５】
釣り竿に取り付けられるリール本体と、
前記リール本体に回転可能に支持され、釣り糸を外周に巻き取るスプールと、
請求項１から４のいずれか１項に記載のスプール制動装置と、
を備える魚釣用リール。
【発明の詳細な説明】
【技術分野】
【０００１】
本発明は、リール本体に回転自在に支持されたスプールに制動力を付与するスプール制動装置、およびそれを備える魚釣用リールに関する。
【背景技術】
【０００２】
釣り糸が繰り出されるときに釣り糸が巻かれているスプールが回転する魚釣用リールでは、キャスティング時にスプールの回転速度が糸繰り出し速度より速くなるバックラッシュが生じる場合がある。バックラッシュが生じると、釣り糸がたるむ、いわゆる糸ふけが生じ、糸がらみの原因になる。そこで、回転するスプールに制動力を付与してバックラッシュを防止する制動装置が設けられている。制動装置には一般的に、大別して２つの種類がある。その１つは自由回転するスプールに対し遠心力を利用して摩擦力を作用させるものであり、他の１つは自由回転するスプールに対して磁力を作用させるものである。
【０００３】
磁力を作用させて、自由回転するスプールに対して制動力を付与する制動装置は、例えば、特許文献１に記載されているように、スプールおよびリール本体のいずれか一方に設けられた導電体と、スプールおよびリール本体のいずれか他方に設けられ、導電体に磁力を作用させることによりスプールの回転を制動する磁石と、スプールの回転速度の増減に応じて磁石が導電体に作用する磁力を増減させ、スプールの回転速度を制御するスプール回転速度制御手段と、スプールの回転速度の増減によりスプール回転速度制御手段が生じさせる制御作用の大きさを調整する制御作用調整手段と、を備える。特許文献１の魚釣用リールでは、スプールの回転速度の増減に応じて導電体および磁石のいずれか一方を他方に対して相対的に移動させることにより、スプールの回転速度に応じて磁石が導電体に作用する磁力を増減させてスプールの回転速度を制御する。これにより、キャスティング開始直後の初期においてスプールの回転速度が比較的大きくなるまでの間は導電体に作用する磁力を小さく保ってスプールに対する制動力を小さくし、スプールに対する不必要な制動力の負荷をなくすことができる。その結果、スプールからの釣糸の放出速度を高めながら、仕掛けの飛距離を向上させることができる。
【０００４】
特許文献２には、スプールと連動して回転する導電体と、リール本体に対して軸方向に移動可能、かつ径方向において導電体と対向可能な磁石と、スプールの回転を制動する制動力調整手段と、を備えるスプール制動装置が開示されている。制動力調整手段は、磁石と導電体とが径方向において対向可能な状態で導電体が回転した場合に、導電体に作用する磁石の磁力に基づいて、磁石をリール本体に対して軸方向に移動させることにより、導電体と磁石とが径方向において対向する対向範囲を変化させ、対向範囲の変化により導電体に作用する磁石の磁束数を変化させる。特許文献２のスプール制動装置は、制動力を広範囲で調整できるようにし、スプールの回転に応じた制動力をスプールに適切に付与できるようにしたものである。
【先行技術文献】
【特許文献】
【０００５】
【特許文献１】特開平１０−２６２５１８号公報
【特許文献２】特開２０１３−２３６６０６号公報
【発明の概要】
【発明が解決しようとする課題】
【０００６】
特許文献の技術では、スプール回転速度制御手段（制動力調整手段）は、スプールの回転速度の増減により、導電体もしくは磁石をスプールの回転軸方向に移動させることによって、その磁力による制動力の大きさを調整している。このような制動力調整手段では、導電体もしくは磁石の移動に必要な遠心力を得るために、一定の重量が必要であり、また、移動のための空間も必要となる。そのため、軽量化、小型化の妨げの一因となっており、ひいては、リール自体の軽量化、小型化を妨げる一因となっていた。
【０００７】
本発明は、このような課題を解決するために考案されたものであって、魚釣用リールに用いられるスプール制動装置の軽量化と小型化を図ることを目的とする。
【課題を解決するための手段】
【０００８】
本発明の第１の観点に係るスプール制動装置は、リール本体に回転可能に支持されるスプールに連動して回転する導電体と、導電体の回転面に向き合う面に並べられた少なくとも２つの磁石を有する磁石ユニットと、磁石ユニットを、導電体の回転面から離隔した離隔位置と導電体の回転面に近接した近接位置との間で移動可能に支持する支持部と、磁石ユニットを、近接位置から離隔位置に付勢する付勢部と、を備える。
【０００９】
好ましくは、磁石ユニットは、導電体の回転面に向き合う面に、導電体の回転周方向に交互に配列されるＮ極とＳ極を有する。
【００１０】
好ましくは、支持部は、磁石ユニットの一端を揺動可能に支持する揺動支持軸を有する。
【００１１】
好ましくは、付勢部は、磁石ユニットの他端を揺動方向に付勢する揺動付勢部を有す。
【００１２】
本発明の第２の観点に係る魚釣用リールは、釣り竿に取り付けられるリール本体と、リール本体に回転可能に支持され、釣り糸を外周に巻き取るスプールと、本発明の第１の観点に係るスプール制動装置と、を備える。
【発明の効果】
【００１３】
本発明によれば、導電体の回転軸方向の所定単位幅を有する所定回転面における回転周方向の磁束の変化率を、導電体の回転によって変化させるので、導電体および磁石の一方を回転軸の方向に移動させる必要がなく、スプール制動装置の軽量化と小型化を図ることができる。
【図面の簡単な説明】
【００１４】
【図１】本発明の実施の形態に係る魚釣用リールの斜視図である。
【図２】実施の形態に係る魚釣用リールの断面図である。
【図３】実施の形態に係るスプール制動装置の断面図である。
【図４】実施の形態に係る磁石ユニットの斜視図である。
【図５】実施の形態に係る磁石ユニットの離隔状態を示す断面図である。
【図６】実施の形態に係る磁石ユニットの近接状態を示す断面図である。
【図７】実施の形態に係るスプール制動装置の作用を示す概念図である。
【図８Ａ】実施の形態に係るスプール制動装置の離隔位置における磁束を示す概念図である。
【図８Ｂ】実施の形態に係るスプール制動装置の近接位置における磁束を示す概念図である。
【図９】実施の形態に係る磁石ユニットの変形例を示す断面図である。
【発明を実施するための形態】
【００１５】
図１は、本発明の実施の形態に係る魚釣用リールの斜視図である。この魚釣用リールは、主にルアーフィッシングに用いられる両軸受リールである。この両軸受リールは、リール本体１と、リール本体１の側方に配置されたハンドル２と、ハンドル２のリール本体１側に配置されたドラグ調整用のスタードラグ３と、を備えている。リール本体１には、釣り糸が巻かれるスプール１２が回転可能に支持されている。スプール１２は、第１側カバー６と第２側カバー７の間に配置されている。ハンドル２を回すとスプール１２を回転させて、釣り糸を巻き取ることができる。ハンドル２は、板状のアーム部２ａと、アーム部２ａの両端に回転自在に装着された１対の把手２ｂとを、有している。
【００１６】
魚釣用リールは、図１に向かって左手前側が釣り竿の先端（前方）に向かうように、釣り竿に取り付けられる。釣り糸は通常スプール１２から、図１に向かって左手前側に張られている。図１で左手前側をリール本体１の前方、右手奥側を後方という。リール本体１の後方にクラッチ操作レバー１７が配置されている。クラッチ操作レバー１７を操作すると、ハンドル２とスプール１２の間のクラッチを切ることができる。スプール１２の前方側を取り巻くようにサムレスト１０が装着されている。
【００１７】
キャスティング動作によってスプール１２に巻かれた釣り糸が繰り出されるとスプール１２が回転する。キャスティング動作時のバックラッシュを防止するために、リール本体１の内部にスプール制動装置が備えられている。リール本体１のハンドル２とは反対側の第１側カバー６に、そのスプール制動装置の制動力を調節する操作つまみ６５が配置されている。操作つまみ６５を回すことによって、スプール１２を制動する力を調節することができる。
【００１８】
図２は、実施の形態に係る魚釣用リールの断面図である。図２を文字が正立する向きに見て上が前方、下が後方である。図２では、制動装置の部分は断面ではない。リール本体１は、フレーム５と、フレーム５の両側方に装着された第１側カバー６および第２側カバー７と、を有している。フレーム５は、所定の間隔を開けて互いに対向するように配置された１対の第１側板８および第２側板９と、第１側板８および第２側板９を連結する図示しない複数の連結部とを有している。
【００１９】
ハンドル２側の第２側カバー７は、ねじで第２側板９に着脱自在に固定されている。ハンドル２と逆側の第１側板８には、スプール１２が通過可能な開口８ａが、形成されている。ハンドル２と逆側の第１側カバー６には、ブレーキケース５５がはめ込まれている。
【００２０】
フレーム５内には、スプール１２と、レベルワインド機構１５、およびクラッチ操作レバー１７が配置されている。レベルワインド機構１５は、スプール１２に釣り糸を均一に巻き付けるための機構である。クラッチ操作レバー１７は、サミングを行う場合の親指の当てとなる。
【００２１】
フレーム５の第２側板９と第２側カバー７との間には、ギア機構１８、クラッチ機構１３、クラッチ係脱機構１９、ドラグ機構２１、およびキャスティングコントロール機構２２が配置されている。ギア機構１８は、ハンドル２からの回転力を、スプール１２およびレベルワインド機構１５に伝える。クラッチ係脱機構１９は、クラッチ操作レバー１７の操作に応じて、クラッチ機構１３の係脱を行う。ドラグ機構２１は、糸繰り出し時にスプール１２を制動する。キャスティングコントロール機構２２は、スプール軸１６を両端で挟んで制動する。そして開口８ａには、キャスティング時にスプール１２のバックラッシュを抑えるためのスプール制動装置２０が配置されている。
【００２２】
スプール１２は、例えばアルミニウム合金製であり、非磁性の電気的導電体である。スプール１２は、スプール１２に連動して回転する導電体ともいえる。スプール１２は、筒状の糸巻胴部１２ｂとその両端に連続する両側部に皿状のフランジ部１２ａを有している。スプール１２は、糸巻胴部１２ｂの内周側に一体に形成された筒状のボス部１２ｃを有している。スプール１２は、ボス部１２ｃを貫通するスプール軸１６に相対回転しないように、例えばセレーション結合により固定されている。
【００２３】
スプール軸１６は、第２側板９を貫通して第２側カバー７の外方に延びている。スプール軸１６のハンドル２に近い端は、第２側カバー７に対して回転自在に支持されている。スプール軸１６の第１側カバー６に近い端は、ブレーキケース５５に回転自在に支持されている。
【００２４】
ハンドル２を回すとその回転は、ドライブギア３１、ピニオンギア３２およびクラッチ機構１３を介してスプール軸１６に伝えられる。クラッチ操作レバー１７を操作するとクラッチ機構１３を切ることができる。ハンドル２を糸巻き取り方向に回転すると、クラッチ機構１３が自動的につながるようになっている。クラッチ機構１３を切れば、スプール軸１６およびスプール１２はハンドル２に無関係に自由に回転できる。クラッチ機構１３を切ってキャスティングを行うと、スプール１２は自由に回転して釣り糸が繰り出される。このとき、バックラッシュを防止するために、スプール制動装置２０が作動して、スプール１２の回転を制動する。スプール制動装置２０は磁石を備え、磁石によってスプール１２に引き起こされる誘導力でスプール１２の回転を制動する。
【００２５】
図３は、実施の形態に係るスプール制動装置の断面図である。図３では、磁石ユニット８１と支持板８２の部分は断面ではない。ブレーキケース５５は、有底筒状の部材である。ブレーキケース５５は、外周部が第１側板８の開口８ａにバヨネット構造１４によって装着される。ブレーキケース５５のスプール１２側の中央部には、筒状に突出する内筒部５５ａが形成されている。内筒部５５ａの外周部には、スプール制動装置２０の筒部８０が装着される。内筒部５５ａの内周部は、軸受を介してスプール軸１６を支持している。内筒部５５ａの基端部外周部には、複数の貫通孔５５ｂが形成されている。貫通孔５５ｂには、操作つまみ６５の押圧部６５ｂが挿通される。
【００２６】
操作つまみ６５は、円形のつまみ部６５ａと、複数の押圧部６５ｂとを有している。つまみ部６５ａは、第１側カバー６に形成された開口６ａから露出する部分である。複数の押圧部６５ｂは、つまみ部６５ａのスプール１２側に突出して設けられている。押圧部６５ｂは、貫通孔５５ｂに挿通され、スプール制動装置２０の筒部８０を押圧可能に筒部８０の底面に当接している。以下、スプール制動装置２０の構成を説明する。
【００２７】
スプール制動装置２０は、筒部８０、４つの磁石５１、保持部材８１および支持板８２を有する。筒部８０は、その中心軸がスプール軸１６の中心軸と一致するように配置される。４つの磁石５１は、スプール１２の内周に向き合う円筒面に並べられて、保持部材８１に一体に保持される。磁石５１どうしの相対的な位置と向きは変わらない。磁石５１と保持部材８１とで、磁石ユニットを構成する。磁石５１は、揺動軸８３に遠い方からスプール１２の回転面に対向する面がＳ極、Ｎ極、Ｓ極、Ｎ極の順に並んでいる。磁石５１は、Ｎ極とＳ極がスプール１２の回転周方向に交互に配列される。磁石５１のＮ極とＳ極の配列は、交互に並んでいればどちらから始まってもよい。
【００２８】
支持板８２は、筒部８０に支持される。保持部材８１は、その端部で揺動軸８３の回りに揺動可能に支持板８２に支持される。揺動軸８３の中心軸はスプール軸１６と平行である。すなわち磁石ユニットはその端部で、スプール軸１６に平行でスプール１２の中心から離隔した揺動軸８３の回りに揺動可能に支持される。従って、磁石５１はスプール１２の内周面（回転面）から離隔した離隔位置と、スプール１２の内周面（回転面）に近接した近接位置とを取り得る。支持板８２には、バネ押さえ８４が形成されている。保持部材８１の揺動軸８３とは反対側の端部は、図３には示されないバネ８５でスプール１２の内周面（回転面）から筒部８０の方向に、すなわち近接位置から離隔位置に向かって付勢されている。
【００２９】
図４は、実施の形態に係る磁石ユニットの斜視図である。図４では、バネ押さえ８４が省略されており、バネ８５が見えている。バネ８５は、保持部材８１の端部に形成された突起の外側面で保持されている。図４は、磁石ユニットが離隔位置にある状態を示す。バネ８５に近い磁石５１は、揺動軸８３に近い磁石５１よりスプール１２から遠い位置にあることが示されている。
【００３０】
図５は、実施の形態に係る磁石ユニットの離隔状態を示す断面図である。図５は、図３のＡ−Ａ線断面である。磁石ユニットを構成する４つの磁石５１は、スプール１２の内周面（回転面）に向き合う面に並べられて保持部材８１で一体に保持されている。保持部材８１はその端部で、揺動軸８３の回りに揺動可能に支持されている。筒部８０には、その外周面からスプール１２に向かって延びるバネ押さえ８４が形成されている。圧縮コイルばねであるバネ８５が、バネ押さえ８４のスプール軸１６側の面と、保持部材８１の支持されている端部（一端）とは反対側の端部（他端）の間に配置されている。保持部材８１の他端はバネ８５でスプール１２の内周面から遠ざかる方向、近接位置から離隔位置に向かって付勢されている。図５は、バネ８５が伸張して、磁石ユニットが離隔位置にある状態を示す。スプール１２が磁石ユニットに対して回転していない状態では、スプール１２には磁石５１による誘導力が発生しない。磁石５１には誘導力の反力が作用しないので、磁石ユニットはバネ８５の付勢力によって、離隔位置に押される。
【００３１】
図６は、実施の形態に係る磁石ユニットの近接状態を示す断面図である。図６は、図３のＡ−Ａ線断面である。キャスティング操作によってスプール１２が図６で時計回りに回転すると、スプール１２の回転面に対向する磁石５１の磁束によって、スプール１２にはその回転速度に応じた渦電流が発生する。この渦電流によってスプール１２には回転方向と逆方向の誘導力がかかる。これにより、スプール１２は制動される。スプール１２の回転（スプール面の移動）で磁石５１によって引き起こされる誘導力の反力で、逆に磁石５１はスプール１２の回転する方向に引きずられる。その結果、磁石ユニットはバネ８５の付勢力に抗して、揺動軸８３を支点にスプール１２の回転面に引き寄せられる。図６は、バネ８５が圧縮されて、磁石ユニットが近接位置にある状態を示す。近接位置では、保持部材８１のバネ８５をその外側面で保持する突起がバネ押さえ８４に当接して、あるいは、バネ８５の線間が密着して、それ以上スプール１２には近づかない。磁石５１および保持部材８１は、スプール１２に接触することはない。
【００３２】
磁石ユニットが近接位置に近くなるにつれて、スプール１２（導電体）を鎖交する磁束が多くなる。従って、スプール１２の磁束の回転周方向の変化率が大きくなる。特に隣合う磁石５１の磁極の極性が異なるので、磁束の回転周方向の変化率は大きくなる。従って、磁石ユニットがスプール１２の回転面に近づくにつれて、誘導力すなわち制動力が大きくなる。
【００３３】
図７は、実施の形態に係るスプール制動装置の作用を示す概念図である。図７では、理解を容易にするためにスプール１２、磁石５１および揺動軸８３のみが示されている。図７では、離隔位置の磁石５１は実線で、近接位置の磁石５１は２点鎖線で表されている。同様に離隔位置の磁力線が実線で、近接位置の磁力線が２点鎖線で表されている。
【００３４】
図７に示されるように、磁石５１のＮ極から出た磁力線は、隣合う磁石５１のＳ極に入る。磁石５１のＮ極の反対側にＳ極があり、Ｓ極の反対側にＮ極があるので、スプール１２とは反対側にも磁力線が生じているが、図７では省略されている。磁石ユニットの端の磁石５１では、スプール１２とは反対側の面からスプール１２の側の面に磁力線が延びている様子が描かれている。
【００３５】
磁石ユニットの離隔位置では、揺動軸８３からの距離が大きい磁石５１ほど、スプール１２を鎖交する磁力線が少なく（磁束密度が小さく）なる。近接位置では、磁石５１とスプール１２の回転面との距離はほぼ均等になり、全体としてスプール１２に近づく。磁石ユニットが離隔位置から近接位置に移動するにつれて、特に揺動軸８３から遠い磁石５１ほどスプール１２を鎖交する磁束の変化が大きいが、全体としてスプール１２を鎖交する磁束が増大し、磁束の回転周方向の変化率が大きくなる。
【００３６】
図８Ａは、実施の形態に係るスプール制動装置の離隔位置における磁束を示す概念図である。図８Ａの白抜き矢印は、スプール１２の回転する方向を示す。磁石ユニットの磁石５１は、スプール１２に対向する面に左からＳ極、Ｎ極、Ｓ極、Ｎ極の順で並んでいる。右側の磁石５１が揺動軸８３に近く、左側に行くに従って磁石５１が揺動軸８３から遠くなっている。スプール１２の回転面を鎖交する磁束の強さが、回転周方向を示す磁束基準線の両側の曲線で示されている。磁束基準線の上側は回転面に入る磁束（Ｎ極側）を、下側は回転面から出る磁束（Ｓ極側）を表す。離隔位置では、左側の磁石の方がスプール１２から遠いので、磁束強度の磁束基準線との差（絶対値）は図の左に行くにつれて小さくなる。
【００３７】
図８Ｂは、実施の形態に係るスプール制動装置の近接位置における磁束を示す概念図である。白抜き矢印および磁束基準線は図８Ａと同じである。近接位置では、磁石ユニットの全ての磁石５１は、スプール１２の回転面に均等に近くなる。従って、磁束強度の磁束基準線との差（絶対値）は、左右で同じになり、全体として大きくなる。そして、磁束の回転周方向の変化率（の絶対値）は、離隔位置（図８Ａ）に比べて大きくなる。誘導力は磁束の変化率に比例するので、回転周方向の磁束の変化率が大きくなれば、誘導力すなわち制動力が大きくなる。
【００３８】
実施の形態では、４つの磁石５１は保持部材８１に一体に保持されて、磁石ユニットとして一体に移動する。従って、バネ８５の付勢力および揺動軸８３の抵抗などが変化しない限り、制動力が変動することはない。例えば、４つの磁石５１がそれぞれ独立に移動可能に支持され、個別に離隔位置に付勢される構造では、制動力が変動する可能性がある。実施の形態では、磁石５１は一体となって移動するので、制動力の再現性が高く安定した制動力を得ることができる。
【００３９】
図３に示される磁石ユニットの位置では、それぞれの磁石５１は、スプール１２のボス部１２ｃ側の約半分が糸巻胴部１２ｂに向き合い、操作つまみ６５側の半分はフランジ部１２ａへの湾曲部にかかっている。磁石５１の回転面側の磁束全体で制動力を発生させてはいない。磁石ユニットをスプール１２の軸方向に移動させて、磁石５１の糸巻胴部１２ｂに向き合う面を増加または減少させることによって、制動力を調節することができる。実施の形態に係る魚釣用リールでは、操作つまみ６５を回すことによって磁石ユニットをスプール１２の軸方向に移動できるように構成されている。
【００４０】
図３のつまみ部６５ａは、開口６ａに回転自在に支持されている。操作つまみ６５は、つまみ部６５ａの回転を押圧部６５ｂの軸方向の移動に変換する図示しないカム機構を有している。例えば、操作つまみ６５を時計回りに回すと、カム作用により、筒部８０がスプール１２のボス部１２ｃに接近する方向（図３右側）に移動する。すなわち、磁石ユニットがボス部１２ｃに接近する。この結果、スプール１２を通過する磁束の数が増加して、スプール１２に対する制動力が強くなる。
【００４１】
操作つまみ６５を反時計回りに回すと、カム作用により、筒部８０および磁石ユニットがボス部１２ｃから離反する方向（図３左側）に移動する。すなわち、磁石５１がスプール１２の糸巻胴部１２ｂから離反する。この結果、スプール１２を通過する磁束の数が減少して、全体の制動力が弱くなる。このように、操作つまみ６５を回転することによって、スプール１２の制動力が設定される。
【００４２】
また、スプール１２が停止している状態で、保持部材８１をスプール１２の回転面に近づける、すなわち離隔位置を回転面に近づければ、初期の制動力を大きくできる。言い換えれば、スプール１２が回転しているときの最大制動力と、回転し始めるときの最小制動力との比を変化させることができる。
【００４３】
実施の形態のスプール制動装置２０によれば、導電体（スプール１２）の回転面に対向して並べられた２以上の磁石５１が一体に磁石ユニットとして保持され、導電体の回転によって磁石ユニットが離隔位置から近接位置に回転面に直交する方向に移動する。そのため、導電体および磁石５１の一方を回転軸の方向に移動させる必要がなく、スプール制動装置２０の軽量化と小型化を図ることができる。そして、複数の磁石５１が一体となって移動するので、制動力の再現性が高く安定した制動力を得ることができる。
【００４４】
［変形例］
図９は、実施の形態に係る磁石ユニットの変形例を示す断面図である。図３および図４に示す実施の形態の磁石ユニットでは、磁石５１の磁極は、スプール１２の回転面に向かう面にＳ極（またはＮ極）、スプール１２の回転面とは反対側の面にＮ極（またはＳ極）が形成されている。図９に示される変形例では、それぞれの磁石はスプール１２の回転面に向かう面にＳ極とＮ極が形成されている。この場合でも、スプール１２の回転周方向にＳ極とＮ極が交互に配列される。
【００４５】
変形例の磁石５２の大きさが、図５などの磁石５１の大きさと同じとすると、図９の磁極の回転周方向の変化の周期は、図５の約半分になる。磁界の強さが同じなら、図９の磁束の回転周方向の変化率は図５よりも大きくなる。
【００４６】
実施の形態では、スプール１２が導電体である場合を例に挙げて説明した。スプール１２に連動する導電体があれば、スプール１２は導電体でなくてもよい。例えば、非導電体で形成されたスプール１２の内周面に、導電体の円筒を貼り合わせた構成でもよい。その場合、スプール制動装置２０は、スプール１２に連動する導電体に磁石５１を対向させて配置される。
【００４７】
また、実施の形態では、導電体が円筒である構成を説明した。導電体がスプール１２に連動して回転するものであればスプール制動装置２０を適用することができる。例えば、導電体が円板の場合でも、実施の形態の構成を変形して適用することができる。円板は例えば、スプール１２のフランジ部１２ａである。その場合、回転面は円板面である。磁石５１は円板面に対向して扇形に並べられて磁石ユニットを構成する。磁石ユニットはその端部で、例えばスプール１２の回転軸に直交する軸の回りに揺動可能に支持される。そして、例えば磁石ユニットの他方の端部を円板面から離隔する方向に付勢すればよい。
【００４８】
実施の形態では、磁石５１または磁石５２は、回転周方向に１列に並べて配置される。磁石５１または磁石５２の配列は、回転周方向に１列とは限らない。例えば、回転周方向に２列またはそれ以上の列で配列してもよい。その場合でも、磁石ユニットは、導電体の回転面に向き合う面に、導電体の回転周方向に交互に配列されるＮ極とＳ極を有するように構成するのが好ましい。回転周方向に２列以上で配列すると、操作つまみ６５の操作に対して制動力の分解能を小さくすることができる。
【００４９】
さらに、磁石５１または磁石５２をスプール１２の回転軸方向に１列に並べて配置してもよい。その場合、回転周方向にＮ極とＳ極が配列されるように、回転面に向き合う面にＮ極とＳ極を有する磁石５２を用いるのが好ましい。
【００５０】
なお、揺動軸８３はスプール１２の回転軸と平行でなくてもよい。例えば、スプール１２の回転軸に直交する軸の回りに、磁石ユニットのボス部１２ｃ側または操作つまみ６５側の端部を揺動可能に支持してもよい。例えば、磁石５２をスプール１２の回転軸方向に１列に並べて配置する場合、スプール１２の回転軸に直交する軸の回りに配列方向の端部を揺動可能に支持することができる。
【００５１】
実施の形態では、磁石ユニットを近接位置から離隔位置に付勢するバネ８５として、圧縮コイルばねを用いた。磁石ユニットを付勢する部材として、圧縮コイルばねには限らない。例えば、引っ張りコイルばねで保持部材８１の端部を筒部８０側に付勢してもよい。また、ねじりコイルばねまたは板ばねを保持部材８１の端部とバネ押さえ８４の間に配置してもよい。
【符号の説明】
【００５２】
１    リール本体
２    ハンドル
１２    スプール
１２ａ  フランジ部
１２ｂ  糸巻胴部
１６    スプール軸
２０    スプール制動装置
５１    磁石（磁石ユニット）
５２    磁石（磁石ユニット）
６５    操作つまみ
６５ａ  つまみ部
６５ｂ  押圧部
８０    筒部
８１    保持部材（磁石ユニット）
８２    支持板
８３    揺動軸
８４    バネ押さえ
８５    バネ
【図１】
2019150062.tif 000003
【図２】
2019150062.tif 000004
【図３】
2019150062.tif 000005
【図４】
2019150062.tif 000006
【図５】
2019150062.tif 000007
【図６】
2019150062.tif 000008
【図７】
2019150062.tif 000009
【図８Ａ】
2019150062.tif 000010
【図８Ｂ】
2019150062.tif 000011
【図９】
2019150062.tif 000012
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
釣り竿に取り付けられるリール本体と、
前記リール本体に回転可能に支持され、釣り糸を外周に巻き取るスプールと、
前記スプールの回転を制動するスプール制動装置と、
を備え、
前記スプール制動装置は、
前記スプールに連動して回転する導電体と、
前記導電体の回転面に向き合う面に並べられた少なくとも２つの磁石を有する磁石ユニットと、
前記磁石ユニットを、前記導電体の回転軸方向に移動させる操作つまみと、
前記磁石ユニットを、前記導電体の回転面から該回転面の径方向に離隔した離隔位置と、前記導電体の回転面に該回転面の径方向に近接した近接位置との間で揺動可能に支持する支持部と、
前記磁石ユニットを、前記近接位置から前記離隔位置に付勢する付勢部と、
を備え、
前記支持部は、前記導電体の回転軸から離隔し、かつ該回転軸に平行な揺動軸の周りに、前記磁石ユニットの一端を前記近接位置と前記離隔位置との間で揺動可能に支持する揺動支持軸を有し、
前記支持部および前記付勢部は、前記導電体の回転速度が増加するにつれて、前記磁石ユニットを前記導電体の回転面に該回転面の径方向に近接させる
魚釣用リール。
【請求項２】
前記操作つまみは、回転自在に支持されたつまみ部を有し、該つまみ部を回転させることによって、前記磁石ユニットを前記導電体の回転軸方向に移動させ、前記磁石の前記導電体の回転面に向き合う面を増加または減少させる、
前記請求項１に記載の魚釣用リール。
【手続補正３】
【補正対象書類名】明細書
【補正対象項目名】０００７
【補正方法】変更
【補正の内容】
【０００７】
本発明は、このような課題を解決するために考案されたものであって、魚釣用リールに用いられるスプール制動装置の軽量化と小型化を図るとともに、ひいては、リール自体の軽量化、小型化することを目的とする。
【手続補正４】
【補正対象書類名】明細書
【補正対象項目名】０００８
【補正方法】変更
【補正の内容】
【０００８】
本発明の第１の観点に係る魚釣用リールは、リール本体と、リール本体に回転可能に支持されるスプールと、スプールの回転を制動するスプール制動装置とを備える。スプール制動装置は、導電体と、導電体の回転面に向き合う面に並べられた磁石を有する磁石ユニットと、磁石ユニットを導電体の回転軸方向に移動させる操作つまみと、磁石ユニットを導電体の回転面から離隔した離隔位置と導電体の回転面に近接した近接位置との間で移動可能に支持する支持部と、磁石ユニットを近接位置から離隔位置に付勢する付勢部と、を備える。  さらに、支持部は、磁石ユニットの一端を前記近接位置と前記離隔位置との間で揺動可能に支持する揺動支持軸を有し、支持部および付勢部は、導電体の回転速度が増加するにつれて、磁石ユニットを導電体の回転面に該回転面の径方向に近接させる。
【手続補正５】
【補正対象書類名】明細書
【補正対象項目名】００１０
【補正方法】変更
【補正の内容】
【００１０】
好ましくは、操作つまみは、回転自在に支持されたつまみ部を有し、該つまみ部を回転させることによって、磁石ユニットを導電体の回転軸方向に移動させ、磁石の導電体の回転面に向き合う面を増加または減少させる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、導電体の回転軸方向の所定単位幅を有する所定回転面における回転周方向の磁束の変化率を、導電体の回転によって変化させるので、導電体および磁石の一方を回転軸の方向に移動させる必要がなく、スプール制動装置の軽量化と小型化を図ることができるとともに、ひいては、リール自体の軽量化、小型化することができる。